(57)【要約】【課題】身体の立つ、座るなどの動作が容易で、骨盤の安定機能とウエスト部の補整機能とを融合させた補整用衣類の提供を目的とする。【解決手段】フロント面部と、前記フロント面部の上部側の両端部に縫着し背面部に向けて配設したウエスト補整部と、前記フロント面部の周縁部に逢着し、前記ウエスト補整部の下部側に部分的に重なるように配設した骨盤安定部を備え、前記ウエスト補整部と前記骨盤安定部の背側の前記重なるように配設した重なり部は相互に上下方向にスライド自在になっていることを特徴とする。【選択図】  図１
2019112736.tif 000002
【特許請求の範囲】
【請求項１】
フロント面部と、
前記フロント面部の上部側の両端部に縫着し背面部に向けて配設したウエスト補整部と、
前記フロント面部の周縁部に逢着し、前記ウエスト補整部の下部側に部分的に重なるように配設した骨盤安定部を備え、
前記ウエスト補整部と前記骨盤安定部の背側の前記重なるように配設した重なり部は相互に上下方向にスライド自在になっていることを特徴とする補整用衣類。
【請求項２】
前記ウエスト補整部は骨盤の両側サイド部にそれぞれ延在したサイド面部を有し、前記サイド面部は前記骨盤安定部と縫着してあることを特徴とする請求項１記載の補整用衣類。
【請求項３】
前記フロント面部と前記ウエスト補整部及び前記骨盤安定部とは、全体として円筒状に縫製されていることを特徴とする請求項１又は２記載の補整用衣類。
【発明の詳細な説明】
【技術分野】
【０００１】
本発明は、骨盤を安定させ、ウエストを補整するのに用いられる補整用衣類に関する。
【背景技術】
【０００２】
例えば特許文献１に示すように、ウエスト部を引き締めサポートするウエストニッパーが知られている。
この種のウエストニッパーは、複数のスパイラルボーンと称される金具が上下方向に取り付けられており、着用頻度、洗濯回数、使用法によっては金具が折れたり曲がるといったトラブルが発生しやすい。
また、ウエストに装着するのに両端部のフックアイにて引っ掛け合せる構造になっており、着用に時間がかかる問題もあった。
腹部には背骨以外に支柱となるものがなく、内臓は背骨と骨盤との間で筋肉により支えられていることになり、良い姿勢を保持するためには骨盤周りを安定させる必要がある。
【０００３】
特許文献２には、ガードル型の第１の下着とウエストニッパー型の第２の下着とを背側にて着脱自在に取り付けることができる矯正用下着を開示する。
しかし、着脱位置を使用者の体型に合せて上下方向に位置調整可能であっても、着衣後はその取付位置が変化せず身体の動きに合せて移動するものではない。
【先行技術文献】
【特許文献】
【０００４】
【特許文献１】特開２００６−１６１２００号公報
【特許文献２】特開２０００−３０３２１０号公報
【発明の概要】
【発明が解決しようとする課題】
【０００５】
本発明は、身体の立つ、座るなどの動作が容易で、骨盤の安定機能とウエスト部の補整機能とを融合させた補整用衣類の提供を目的とする。
【課題を解決するための手段】
【０００６】
本発明に係る補整用衣類は、フロント面部と、前記フロント面部の上部側の両端部に縫着し背面部に向けて配設したウエスト補整部と、前記フロント面部の周縁部に逢着し、前記ウエスト補整部の下部側に部分的に重なるように配設した骨盤安定部を備え、前記ウエスト補整部と前記骨盤安定部の背側の前記重なるように配設した重なり部は相互に上下方向にスライド自在になっていることを特徴とする。
ここで、フロント面部は腹部に位置する部分であり、ウエスト補整部はそのウエスト周り両端部をフロント面部の上部側のウエスト部に位置する両側の部位に縫着されている。
【０００７】
本発明において、前記ウエスト補整部は骨盤の両側サイド部にそれぞれ延在したサイド面部を有し、前記サイド面部は前記骨盤安定部と縫着してあってもよい。
このようにすると、身体のサイド部でウエスト補整部と骨盤安定部が一体になるとともに背側が、身体の立つ、座る、腰を曲げる等の動作に応じてウエスト補整部と骨盤安定部との重なり部が上下方向に相互にスライドすることになる。
これにより身体が自由に動いても骨盤安定性が高く、ウエスト部の体型補整の効果も高い。
【０００８】
本発明において、前記フロント面部と前記ウエスト補整部及び前記骨盤安定部とは、全体として円筒状に縫製されているのが好ましい。
このようにすると身体に下から履き上げるように装着しやすく、また脱ぎやすい。
【発明の効果】
【０００９】
本発明に係る補整用衣類は、日常生活における身体の自然な動きに追随し、年齢とともに筋肉の衰えや骨盤の歪みからくる姿勢のくずれを補整することができる。
【図面の簡単な説明】
【００１０】
【図１】本発明に係る補整用衣類の外観図を示し、（ａ）は正面側から見た斜視図、（ｂ）は背面側から見た斜視図を示す。
【図２】補整用衣類の構成を説明するために骨盤安定部を取り除いた状態を示し、（ａ）は正面図、（ｂ）は背面図、（ｃ）は側面図を示す。
【図３】補整用衣類の構成を説明するためにウエスト補整部を取り除いた状態を示し、（ａ）は正面図、（ｂ）は背面図、（ｃ）は側面図を示す。
【図４】（ａ）は正面から見た縫着部の説明図、（ｂ）は背面から見た縫着部の説明図を示す。
【図５】側面から見た縫着部の説明図を示す。
【発明を実施するための形態】
【００１１】
図１に本発明に係る補整用衣類１０の構成例を示すが、本実施例に限定されない。
補整用衣類１０は身体の腹部に位置するフロント面部１１を有し、図２に示すようにフロント面部１１の上部側のウエスト部に位置する両端部と縫着したウエスト補整部１２を有する。
ウエスト補整部１２は伸縮性のある素材からなり、ウエスト周り両端部１２ｄをフロント面部１１の両端部に縫着し、ウエスト周りに配設してある。
ウエスト補整部１２は、上端部にその他の一般部の生地よりも伸縮力の強いウエスト周りのベルトライン１２ａを有する。
また、背面部は図２（ｂ）に示すように、中央部の上下方向に伸縮するように芯材を縫い合せた縫着ライン１２ｆと、その両側に所定の間隔を設けて上下方向の芯材１４を縫着してある。
この芯材１４は厚みのある布製で可撓性を有している。
なお、芯材１４は図３（ｂ）に示すように後述する骨盤安定部１３の背面部に設けてもよく、ウエスト補整部１２と骨盤安定部１３のどちらか一方又は両方に設けてもよい。
図４（ｂ）には、ウエスト補整部１２にのみ設けた例を示す。
ウエスト補整部１２は、骨盤のサイド部に位置するように下方に向けて延在するサイド面部１２ｂを有する。
これによりウエスト補整部１２の背面側の下端は、逆Ｕ字形状の下端部ライン１２ｃとなっている。
このラインを図１（ｂ）に点線で示してある。
【００１２】
ウエスト補整部１２の下側には、このウエスト補整部１２と部分的に重なるように骨盤安定部１３を設けてある。
この骨盤安定部１３の構成が分かりやすいように図３には、ウエスト補整部１２を取り除いた状態で示してある。
骨盤安定部１３は伸縮性のある素材で形成し、ヒップの上部側から正面側に向けて回り込むように配設した骨盤保持部１３ｂと、そのヒップ側にヒップの体型に合せて伸縮しやすくしたヒップ面部１３ｃとを有する。
よって、骨盤保持部１３ｂの伸縮力よりもヒップ面部１３ｃの方が弱い伸縮力の素材を用いている。
これらの生地は一重でもよく、二重に重ねるように縫着してあってもよい。
骨盤安定部１３の正面側は図４（ａ）に示すように、上端部が少しウエスト補整部１２の下端部に重なるようにして、フロント面部１１の端部に縫着ライン１３ｅに沿って縫着してあり、フロント面部１１の下部は骨盤安定部１３の両端部同士を縫着ライン１３ｆにて相互に縫着してある。
背部は図４（ｂ）に示すように骨盤安定部１３の上端部ライン１３ａがウエスト補整部１２に重なるように配置され、ウエスト補整部１２のサイド面部１２ｂの背の内側の端部１２ｇと骨盤安定部１３のヒップ面部１３ｃとが、その縫着ライン１３ｇに沿って縫着してある。
骨盤安定部１３の背面部の中央部は上下方向の縫着ライン１３ｄに沿って縫着してある。
また、ウエスト補整部１２のサイド面部１２ｂの正面側端部１２ｅは図４（ａ）に示すように、骨盤安定部１３の縫着ライン１３ｈに沿って縫着してある。
これによりウエスト補整部１２のサイド面部１２ｂが、骨盤安定部１３と一体になって骨盤の周囲を安定させる。
また、骨盤安定部１３の上端部ライン１３ａは、ウエスト補整部１２の上に重なっているだけで縫着していないので、腰を曲げたり、立つ、座る等の動作に従い、ウエスト補整部１２の背面部と骨盤安定部１３の背面部は相互に上下方向にスライド自在になっている。
【００１３】
ウエスト補整部１２のサイト面部１２ｂの下端部１２ｈが骨盤安定部１３の下端部１３ｉと縫着され、全体として筒状の衣類になっている。
これにより本発明に係る衣類は、下から履き上げるように簡単に装着でき、脱ぐのも容易である。
【符号の説明】
【００１４】
１０      補整用衣類
１１      フロント面部
１２      ウエスト補整部
１３      骨盤安定部
【図１】
2019112736.tif 000003
【図２】
2019112736.tif 000004
【図３】
2019112736.tif 000005
【図４】
2019112736.tif 000006
【図５】
2019112736.tif 000007